(57)【要約】【課題】使用者の背骨が真直ぐ伸びた状態を保持可能であり、睡眠の質が向上可能な枕を提供する。【解決手段】本発明による枕は、第一枕部１、少なくとも１個の高さ調整ユニット２、及びベース３を備える。第一枕部１は、使用者の頭部を載せる。高さ調整ユニット２は、第一枕部１に接続される昇降部と、昇降部に組み立てられ第一枕部１を上下に動かす支え部を有する。ベース３は、高さ調整ユニットの支え部に接続され、第一枕部１との間に使用者の手部を置くための延伸空間３１を形成する。このように、使用者は、高さ調整ユニット２を適切な高さに調整することができる。これにより、頭部および背骨は空間において水平状を呈し、背骨は側湾することなく、手を延伸空間に置くことができ、手が頭部に圧迫されて痺れたり、痛くなったりすることがなく、睡眠および休息の質が向上する。【選択図】図１
0003171130.tif 000002
【実用新案登録請求の範囲】
【請求項１】
使用者の頭部を載せる第一枕部と、
前記第一枕部に接続する昇降部、及び前記昇降部に組み立てられて前記第一枕部を上下に動かす支え部を有する少なくとも１個の高さ調整ユニットと、
前記高さ調整ユニットの前記支え部に接続し、前記第一枕部との間に使用者が手を置く延伸空間を形成するベースと、
を備えることを特徴とする枕。
【請求項２】
前記高さ調整ユニットの前記昇降部は、前記第一枕部の下面に組み立てられる第一角鉄及び前記第一角鉄の外壁を覆う第一ケースを備え、前記第一角鉄の前記第一枕部の下面に組み立てられない部位に、第一ウェーブ板及び縦向きの第一孔が設置されることを特徴とする請求項１に記載の枕。
【請求項３】
前記高さ調整ユニットの前記支え部は、前記ベースの上面に組み立てられ前記第一角鉄に当接し前記第一角鉄及び前記第一ケースを動かす第二角鉄と、前記第二角鉄の外壁を覆い一部が前記第一ケースに覆われる第二ケースとを備え、
前記第二角鉄は、前記第一ウェーブ板に対応する第二ウェーブ板と、前記第一孔に対応する第二孔とを有することを特徴とする請求項２に記載の枕。
【請求項４】
前記高さ調整ユニットは、ねじを有するつまみ及び前記ねじに組み合わされる螺合固定ブロックを備え、
前記ねじは、前記第一孔および前記第二孔を貫通し、前記第一ケース、前記第二ケース、前記第一ウェーブ板、および前記第二ウェーブ板を前記螺合固定ブロックに固定することを特徴とする請求項３に記載の枕。
【請求項５】
さらに、前記ベースの上面に設置され前記高さ調整ユニットに当接する第二枕部を備えることを特徴とする請求項４に記載の枕。
【請求項６】
前記第二枕部の高さは、前記第一枕部の一番低い高さより低いことを特徴とする請求項５に記載の枕。
【請求項７】
さらに、前記第二枕部と隣接する第三枕部を備え、
前記高さ調整ユニットは、前記第三枕部と前記ベースとの間に接続され、前記第二枕部に当接することを特徴とする請求項６に記載の枕。
【請求項８】
前記高さ調整ユニットは、前記第一枕部の幅方向と直交する方向の下面と前記ベースとの間に接続され、
前記ベースのアーチ型の部位は、互いに内側に向かって前記延伸空間を形成することを特徴とする請求項４に記載の枕。
【請求項９】
前記高さ調整ユニットは、四個であり、上端が前記第一枕部の下面の四隅に接続され、底端が単独で前記ベースに接続されるか、または前記第一枕部の幅方向の前後二個の前記高さ調整ユニットは、底端が結合されて前記ベースに接続されることを特徴とする請求項８に記載の枕。
【請求項１０】
前記高さ調整ユニットは、三個であり、底端が単独で前記ベースに接続され、
二個の前記高さ調整ユニットは、前記第一枕部の幅方向の下面の前後の隅に接続され、
一個の前記高さ調整ユニットは、前記第一枕部の幅方向と直交する方向の下面の中間部に接続されることを特徴とする請求項８に記載の枕。
【考案の詳細な説明】
【技術分野】
【０００１】
本考案は、枕に関し、詳しくは睡眠用枕に関する。
【背景技術】
【０００２】
質のよい睡眠と休憩をとることは、忙しい現代人にとって容易なことではない。睡眠と休憩の過程において、頭部、肩部、首部、さらに全身の姿勢の適度な伸展が達成できれば、良質な睡眠と休憩をとることが可能であり、仕事や活動に必要な体力を回復させるのに役立つ。
【０００３】
一般に、手を枕にした場合、睡眠と休憩の際、手の血液の循環が悪くなって痺れるという現象が発生するおそれがある。従来、高さの調節ができない枕を睡眠と休憩の際に使用することが多い。
【考案の概要】
【考案が解決しようとする課題】
【０００４】
しかしながら、従来の高さの調節ができない枕を使用する場合、睡眠と休憩時に身体が痛くなったり、寝心地が悪かったりするのを感じるため、依然として良質な睡眠と休憩が望めない。
【０００５】
上記問題を解決するため、本考案は、使用者の背骨が真直ぐ伸びた状態を保持可能であり、睡眠の質が向上可能な枕を提供することを目的とする。
【課題を解決するための手段】
【０００６】
上記目的を達成するために、本考案による枕は、第一枕部、少なくとも１個の高さ調整ユニット、およびベースを備える。第一枕部は、使用者の頭部を載せる。高さ調整ユニットは、第一枕部に接続される昇降部と、昇降部に組み立てられて使用者がコントロールして第一枕部を上下に動かす支え部とを有する。ベースは、高さ調整ユニットの支え部に接続され、第一枕部との間に使用者の手を置くための延伸空間を形成する。
【０００７】
高さ調整ユニットの昇降部は、第一枕部下面に組み立てられる第一角鉄、及び、第一角鉄の外壁を覆う第一ケースを備える。第一角鉄の第一枕部下面に組み立てられない部位には、第一ウェーブ板及び縦向きの第一孔が設置される。
【０００８】
高さ調整ユニットの支え部は、ベースの上面に組み立てられ、さらに、第二角鉄と第二ケースとを備える。第二角鉄は、第一角鉄に当接し、第一角鉄及び第一ケースを同時に動かす。第二ケースは、第二角鉄の外壁を覆い、一部が第一ケースに覆われる。第二角鉄は、第一ウェーブ板に対応する第二ウェーブ板と、第一孔に対応する第二孔とを有する。
【０００９】
高さ調整ユニットは、ねじを有して使用者が操作するためのつまみ、及びねじに組み合わされる螺合固定ブロックを備える。ねじは、第一孔および第二孔を貫通し、第一ケース、第二ケース、第一ウェーブ板、および第二ウェーブ板を螺合固定ブロックに固定する。
【００１０】
本考案によると、使用者が直接つまみを回転させ、第一ウェーブ板、第二ウェーブ板を移動させ、ねじと螺合固定ブロックとの間の締め付けおよび解放を利用し、睡眠時の姿勢に適合する高さを調節する。これにより、使用者の背骨が真直ぐに伸びた状態に維持すると同時に、延伸空間に手を置くことができるため、従来の技術と比較すると、睡眠と休憩の質が大幅に改善される。
【図面の簡単な説明】
【００１１】
【図１】本考案の第一実施形態による枕の斜視図である。
【図２】本考案の第一実施形態による枕の分解斜視図である。
【図３】本考案の第一実施形態による枕の第一枕部が上昇する前の側断面図である。
【図４】本考案の第一実施形態による枕の第一枕部が上昇後の斜視図である。
【図５】本考案の第一実施形態による枕の第一枕部が下降する前の側断面図である。
【図６】本考案の第一実施形態において、使用者が横向きに寝るときに手を延伸空間に置いた状態を示す図である。
【図７】図６中の使用者の背骨が真直ぐ伸びた状態を示す図である。
【図８】本考案の第二実施形態による枕の斜視図である。
【図９】本考案の第二実施形態による枕の第一枕部が上昇、下降する状態を示す正面図である。
【図１０】本考案の第三実施形態による枕の斜視図である。
【図１１】本考案の第四実施形態による枕の斜視図である。
【図１２】本考案の第五実施形態による枕の斜視図である。
【図１３】本考案の第二実施形態において、使用者が横向きに寝るときに手を延伸空間に置いた状態を示す図である。
【図１４】本考案の第三実施形態において、使用者が横向きに寝るときに手を延伸空間に置いた状態を示す図である。
【図１５】本考案の第四実施形態において、使用者が横向きに寝るときに手を延伸空間に置いた状態を示す図である。
【図１６】本考案の第五実施形態において、使用者が横向きに寝るときに手を延伸空間に置いた状態を示す図である。
【図１７】本考案の第六実施形態による枕の斜視図である。
【図１８】本考案の第六実施形態による枕の第一枕部が上昇、下降する状態を示す正面図である。
【図１９】本考案の第六実施形態において、使用者が横向きに寝るときに背骨が真直ぐ伸びた状態を保持している状態を示す図である。
【図２０】本考案の第六実施形態において、使用者が右向きに寝るときに手を延伸空間に置いた状態を示す図である。
【図２１】本考案の第六実施形態において、使用者が仰向きに寝るときに頭部を第二枕部に置いた状態を示す図である。
【図２２】本考案の第六実施形態において、使用者が左向きに寝るときに手を延伸空間に置いた状態を示す図である。
【考案を実施するための形態】
【００１２】
以下、本考案の実施形態による枕を図面に基づいて説明する。
（第一実施形態）
図１、図２を参照しながら説明する。本考案の第一実施形態による枕は、第一枕部１、少なくとも１個の高さ調整ユニット２、及びベース３を備える。
【００１３】
第一枕部１は、使用者が頭部を載せるのに用いられる。第一枕部１の表面に、例えば、ラテックス等の柔軟で弾性を有する材質を採用するが、これに限られるものではない。
【００１４】
高さ調整ユニット２は、第一枕部１に接続する昇降部２１、及び昇降部２１に組み立てられて使用者が操作することで第一枕部１を上下に動かす支え部２２を有する。
【００１５】
高さ調整ユニット２の昇降部２１は、第一枕部１下面に組み立てられる第一角鉄２１１、及び第一角鉄２１１の外壁を覆う第一ケース２１２を備える。第一角鉄２１１の第一枕部１の下面に組み立てられない部位には、第一ウェーブ板２１１１及び縦向きの第一孔２１１２が設置される。
【００１６】
図２から図５を参照しながら説明する。高さ調整ユニット２の支え部２２は、ベース３の上面に組み立てられ、第二角鉄２２１および第二ケース２２２を備える。第二角鉄２２１は、第一角鉄２１１に当接し、第一角鉄２１１及び第一ケース２１２を同時に動かす。第二ケース２２２は、第二角鉄２２１の外壁を覆い、一部が第一ケース２１２に覆われる。第二角鉄２２１は、第一ウェーブ板２１１１に対応する第二ウェーブ板２２１１と、第一孔２１１２に対応する第二孔２２１２とを有する。
【００１７】
高さ調整ユニット２は、ねじ２３１を有して使用者が操作するためのつまみ２３、及びねじ２３１に組み立てられる螺合固定ブロック２４を備える。ねじ２３１は、第一孔２１１２および第二孔２２１２を貫通し、第一ケース２１２、第二ケース２２２、第一ウェーブ板２１１１、および第二ウェーブ板２２１１を螺合固定ブロック２４に固定する。
【００１８】
ベース３は、高さ調整ユニット２の支え部２２に接続され、第一枕部１との間に使用者が手を置くことのできる延伸空間３１を形成する。
【００１９】
図１から図７に示したように、本考案の第一実施形態による枕を使用するとき、使用者の異なる条件及びニーズに応じて、直接つまみ２３を回転させ、第一ウェーブ板２１１１および第二ウェーブ板２２１１を移動させる。ねじ２３１と螺合固定ブロック２４との間の締め付けおよび解放により、使用者は、自分の睡眠姿勢に適切な高さを調整することが可能であると同時に、延伸空間３１に手を置くことができる。したがって、第一実施形態による枕により、使用者が横向きに寝るときに手を延伸空間３１に置いてリラックスすることができる。さらに、使用者の背骨が一定の高さに保たれて真直ぐに伸びるため、睡眠と休憩の質が改善される。
【００２０】
（第二実施形態）
図８、図９並びに図２を共に参照しながら説明する。本考案の第二実施形態による枕は、第一枕部１、少なくとも１個の高さ調整ユニット２、及びベース３を備える。第一実施形態と異なる点は、高さ調整ユニット２が第一枕部１の幅方向と直交する方向の下面とベース３との間に接続されることである。幅方向は、体軸と直交する方向である。ベース３のアーチ形の部位は、内側に向かって延伸空間３１を形成する。本実施形態において、いずれの高さ調整ユニット２の幅は、第一枕部１およびベース３と同一の幅であるが、本考案はこれに限られるものではない。
【００２１】
図２、図８、図９、図１３に示したように、本考案の第二実施形態による枕を使用するとき、使用者の異なる条件及びニーズに応じて、直接つまみ２３を回転させ、第一ウェーブ板２１１１および第二ウェーブ板２２１１を移動させる。ねじ２３１と螺合固定ブロック２４との間の締め付けおよび解放により、使用者は、自分の睡眠姿勢（例えば横向き）に適切な高さを調整することが可能であると同時に、延伸空間３１に手を置くことができる。したがって、第二実施形態による枕により、使用者が横向きに寝るときに手を延伸空間３１に置いてリラックスすることができる。さらに、使用者の頭部および背骨が空間において水平状を呈することで、背骨が真直ぐに伸びた状態が保たれ、曲がることがないため、同様に睡眠と休憩の質が改善されるという目的を達成することができる。
【００２２】
（第三実施形態）
図１０と図２を同時に参照しながら説明する。本考案の第三実施形態による枕は、第一枕部１、少なくとも１個の高さ調整ユニット２、及びベース３を備える。第二実施形態と異なる点は、高さ調整ユニット２の数量は四個であること、および、高さ調整ユニット２は第一枕部１の下面の四隅に接続されることである。高さ調整ユニット２の底端は、単独でベース３に接続されるか、第一枕部１の幅方向の下面の前後の隅にある二個の高さ調整ユニット２の底端は、結合されて同じベース３に接続されている。
【００２３】
図２、図１０、図１４に示したように、本考案の第三実施形態による枕を使用すると、使用者が横向きに寝るときに、手を延伸空間３１に置いてリラックスすることができる。さらに、調整された高さにより、使用者の頭部および背骨が空間において水平状を呈する。そのため、背骨が真直ぐに伸びた状態が保たれ、側湾することがないため、同様に睡眠と休憩の質が改善されるという目的を達成することができる。
【００２４】
（第四実施形態）
図１１と同時に図２を参照しながら説明する。本考案の第四実施形態による枕は、第一枕部１、少なくとも１個の高さ調整ユニット２、及びベース３を備える。このうち、高さ調整ユニット２の数量は四個である。高さ調整ユニット２は、上端が第一枕部１の下面の四隅に接続されている。第一枕部１の幅方向の下面の前後の隅にある二個の高さ調整ユニット２の底端は、結合されてベース３に接続される。
【００２５】
図２、図１１、図１５に示したように、本考案の第四実施形態による枕により、使用者が横向きに寝るときに、手を延伸空間３１に置いてリラックスすることができる。さらに、調整された高さにより、使用者の頭部および背骨が空間において水平状を呈する。これにより、背骨が真直ぐに伸びた状態が保たれ、側湾することがないため、同様に睡眠と休憩の質が改善されるという目的を達成することができる。
【００２６】
（第五実施形態）
図１２と同時に図２を参照しながら説明する。本考案の第五実施形態による枕は、第一枕部１、少なくとも１個の高さ調整ユニット２、及びベース３を備える。このうち、高さ調整ユニット２の数量は三個であり、二個の高さ調整ユニット２は、第一枕部１の幅方向の下面の前後の隅の位置に接続される。一個の高さ調整ユニット２は、第一枕部１の幅方向と直交する方向の下面の中間部に接続される。いずれの高さ調整ユニット１の底端は、単独でベース３に接続される。
【００２７】
図２、図１２、図１６に示したように、本考案の第五実施形態による枕により、使用者が横向きに寝るときに、手を延伸空間３１に置いてリラックスすることができる。さらに、調整された高さにより、使用者の頭部および背骨が空間において水平状を呈する。これにより、背骨が真直ぐに伸びた状態が保たれ、側湾することがないため、同様に睡眠と休憩の質が改善されるという目的を達成することができる。
【００２８】
（第六実施形態）
図１７、図１８と同時に図２を参照しながら説明する。本考案の第六実施形態による枕は、第一枕部１、少なくとも１個の高さ調整ユニット２、ベース３、および第二枕部４を備える。第二枕部４は、ベース３の上面に設置される。第二枕部４は、高さ調整ユニット２に当接する。このうち、第一枕部１の位置が最も低い高さである時、第二枕部４の高さは、第一枕部１の最低高度より低い。枕はさらに第三枕部５を備える。高さ調整ユニット２は、第三枕部５とベース３との間に接続され、第二枕部４に当接する。
【００２９】
図２、図１７から図２２に示したように、本考案の第六実施形態による枕は、さらに多くの調整態様を提供する。例えば、使用者は、第二枕部４両側の第一枕部１および第三枕部５を高さ調整ユニット２で調整し、自分の睡眠姿勢（例えば、右向き、仰向き、左向き等の異なる姿勢）に適切な高さを調整することができる。さらに、いずれの延伸空間３１も手を置くことが可能である。したがって、第六実施形態による枕により、使用者が横向きに寝るときに手を延伸空間３１においてリラックスすることができる。また、調整された高さにより、使用者の頭部および背骨が空間において水平状を呈する。これにより、背骨が真直ぐに伸びた状態が保たれ、側湾することがないため、同様に睡眠と休憩の質が改善されるという目的を達成することができる。
【００３０】
以上、本考案はこのような実施形態に限定されるものではなく、考案の趣旨を逸脱しない範囲において、種々の形態で実施することができる。
【符号の説明】
【００３１】
１      ・・・第一枕部
２      ・・・高さ調整ユニット
２１    ・・・昇降部
２１１  ・・・第一角鉄
２１１１・・・第一ウェーブ板
２１１２・・・第一孔
２１２  ・・・第一ケース
２２    ・・・支え部
２２１  ・・・第二角鉄
２２１１・・・第二ウェーブ板
２２１２・・・第二孔
２２２  ・・・第二ケース
２３    ・・・つまみ
２３１  ・・・ねじ
２４    ・・・螺合固定ブロック
３      ・・・ベース
３１    ・・・延伸空間
４      ・・・第二枕部
５      ・・・第三枕部
【図１】
0003171130.tif 000003
【図２】
0003171130.tif 000004
【図３】
0003171130.tif 000005
【図４】
0003171130.tif 000006
【図５】
0003171130.tif 000007
【図６】
0003171130.tif 000008
【図７】
0003171130.tif 000009
【図８】
0003171130.tif 000010
【図９】
0003171130.tif 000011
【図１０】
0003171130.tif 000012
【図１１】
0003171130.tif 000013
【図１２】
0003171130.tif 000014
【図１３】
0003171130.tif 000015
【図１４】
0003171130.tif 000016
【図１５】
0003171130.tif 000017
【図１６】
0003171130.tif 000018
【図１７】
0003171130.tif 000019
【図１８】
0003171130.tif 000020
【図１９】
0003171130.tif 000021
【図２０】
0003171130.tif 000022
【図２１】
0003171130.tif 000023
【図２２】
0003171130.tif 000024